【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
第１機器から第１時刻情報と関連付けられた第１情報を取得し、第２機器から第２時計手段が発生する第２時刻情報と関連付けられた第２情報を取得する第１のステップと、
前記第１情報と関連付けられた前記第１時刻情報と、前記第２情報と関連付けられた前記第２時刻情報の相対的な誤差を補正する第２のステップと、
該補正された前記第１時刻情報及び前記第２時刻情報が同時刻を表すとき前記第１情報と前記第２情報を関連付ける第３のステップと、
を備えたことを特徴とする情報関連付け方法。
【請求項２】
前記第１情報は位置情報であり、前記第２情報は画像情報であることを特徴とする請求項１に記載の情報関連付け方法。
【請求項３】
前記第２のステップにおいて、第３の機器に備えられた基準時刻と前記第１時刻情報との誤差と、前記基準時刻と前記第２時刻情報との誤差を基に、相対的な誤差を補正することを特徴とする請求項１に記載の情報関連付け方法。
【請求項４】
前記第１のステップにおいて、前記第１機器からの前記第１時刻情報と関連付け垂れた前記第１情報の取得は、前記第１機器に表示される第１時刻情報と前記第１情報を撮影した撮影した画像を前記第２の機器から取得することにより行うことを特徴とする請求項１に記載の情報関連付け方法。
【請求項５】
第１機器から第１時刻情報と関連付けられた第１情報を取得し、第２機器から第２時計手段が発生する第２時刻情報と関連付けられた第２情報を取得するステップと、
前記第１情報と関連付けられた前記第１時刻情報と、前記第２情報と関連付けられた前記第２時刻情報の相対的な誤差を補正するステップと、
該補正された前記第１時刻情報及び前記第２時刻情報が同時刻を表すとき前記第１情報と前記第２情報を関連付けるステップと、
をコンピュータに実行させることを特徴とする情報関連付け用プログラム。
【請求項６】
被写体像を光電変換し、画像データを取得する撮像部と、
時刻情報を発生する時計部と、
前記撮像部によって前記画像データを取得した時の時刻情報と共に、前記画像データを対にして記録する記録部と、
外部機器と接続した際に、前記画像データと時刻情報の対、および前記外部機器と接続時における前記時計部の時刻情報とを、前記外部機器に送信する送信部と、
を具備したことを特徴とするカメラ。
【請求項７】
外部よりの信号を受信し、所在位置を検出し、位置データを出力する位置検出部と、
時刻情報を発生する時計部と、
前記位置検出部によって前記位置データを取得した時の時刻情報と共に、前記位置データを対にして記録する記録部と、
外部機器と接続した際に、前記位置データと時刻情報の対、および前記外部機器と接続時における前記時計部の時刻情報とを、前記外部機器に送信する送信部と、
を具備したことを特徴とする位置情報装置。
【請求項８】
時刻情報を発生する第１時計手段と、該第１時計手段が発生する第１時刻情報と関連付けられた第１情報を取得する第１情報取得手段とを有する第１機器と、
時刻情報を発生する第２時計手段と、該第２時計手段が発生する第２時刻情報と関連付けられた第２情報を取得する第２情報取得手段とを有する第２機器と、
前記第１情報と関連付けられた前記第１時刻情報と、前記第２情報と関連付けられた前記第２時刻情報の相対的な誤差を補正する時刻補正手段と、該時刻補正手段によって補正された前記第１時刻情報及び前記第２時刻情報が同時刻であるとき、前記第１情報と前記第２情報を関連付ける情報関連付け手段とを有する第３機器と、
を備えたことを特徴とする情報関連付けシステム。
【請求項９】
基準時刻を発生する第３時計手段をさらに備え、前記時刻補正手段は、前記第１情報と関連付けられた前記第１時刻情報の誤差及び前記第２情報と関連付けられた前記第２時刻情報の誤差を前記基準時刻情報を基に補正することにより、前記第１時刻情報と前記第２時刻情報の相対的な誤差を補正するものであることを特徴とする請求項８に記載の情報関連付けシステム。
【請求項１０】
前記第１機器は前記時刻情報を表示する時刻情報表示手段をさらに備え、また前記第２機器は前記第１機器の前記時刻情報表示手段によって表示された前記時刻情報を撮影する撮像手段をさらに備え、該撮像手段によって撮像した画像を前記第２時計手段が発生する第２時刻情報と関連付けるものであり、また前記第３機器は前記第２機器の前記撮像手段によって撮像された時刻情報を含む画像を処理して前記時刻情報を認識する画像認識手段をさらに備え、前記時刻補正手段は前記画像認識手段によって認識した前記時刻情報と、前記時刻情報を含む画像に関連付けられた前記第２時刻情報との差に基づいて、前記第１情報と関連付けられた前記第１時刻情報と、前記第２情報と関連付けられた前記第２時刻情報との相対的な誤差を補正することを特徴とする請求項８に記載の情報関連付けシステム。
【請求項１１】
前記第１機器の前記第１情報はＧＰＳ情報であり、前記第２機器の前記第２情報は画像情報であることを特徴とする請求項８乃至請求項１０に記載の情報関連付けシステム。
【請求項１２】
前記第３機器において前記ＧＰＳ情報と関連付けられた前記画像情報を前記ＧＰＳ情報が表す地図上に合成して表示する画像表示手段をさらに備えたことを特徴とする請求項１１に記載の情報関連付けシステム。
【手続補正２】
【補正対象書類名】明細書
【補正対象項目名】発明の名称
【補正方法】変更
【補正の内容】
【発明の名称】情報関連付け方法、プログラム、カメラ、位置情報装置、および情報関連付けシステム
【手続補正３】
【補正対象書類名】明細書
【補正対象項目名】０００１
【補正方法】変更
【補正の内容】
【０００１】
本発明は、複数の情報を日時で関連付けする際の情報関連付け方法、プログラム、カメラ、位置情報装置、および情報関連付けシステムに関する。
【手続補正４】
【補正対象書類名】明細書
【補正対象項目名】０００５
【補正方法】変更
【補正の内容】
【０００５】
本願発明は、このような事情を鑑みてなされたものであり、画像のような第１情報に位置情報のような第２情報が添付されていなくても、第１情報と第２情報を正しく関連付けることのできる情報関連付け方法、プログラム、カメラ、位置情報装置、および情報関連付けシステムを提供することを目的とする。
【手続補正５】
【補正対象書類名】明細書
【補正対象項目名】０００６
【補正方法】変更
【補正の内容】
【０００６】
上記目的を達成するため第１の発明に係わる情報関連付け方法は、第１機器から第１時刻情報と関連付けられた第１情報を取得し、第２機器から第２時計手段が発生する第２時刻情報と関連付けられた第２情報を取得する第１のステップと、前記第１情報と関連付けられた前記第１時刻情報と、前記第２情報と関連付けられた前記第２時刻情報の相対的な誤差を補正する第２のステップと、該補正された前記第１時刻情報及び前記第２時刻情報が同時刻を表すとき前記第１情報と前記第２情報を関連付ける第３のステップと、を備える。
【手続補正６】
【補正対象書類名】明細書
【補正対象項目名】０００７
【補正方法】変更
【補正の内容】
【０００７】
第２の発明に係わる情報関連付け方法は、前記第１の発明において、前記第１情報は位置情報であり、前記第２情報は画像情報である。
また、第３の発明に係わる情報関連付け方法は、前記第１の発明において、前記第２のステップにおいて、第３の機器に備えられた基準時刻と前記第１時刻情報との誤差と、前記基準時刻と前記第２時刻情報との誤差を基に、相対的な誤差を補正する。
さらに、第４の発明に係わる情報関連付け方法は、前記第１の発明において、前記第１のステップにおいて、前記第１機器からの前記第１時刻情報と関連付け垂れた前記第１情報の取得は、前記第１機器に表示される第１時刻情報と前記第１情報を撮影した撮影した画像を前記第２の機器から取得することにより行う。
【手続補正７】
【補正対象書類名】明細書
【補正対象項目名】０００８
【補正方法】変更
【補正の内容】
【０００８】
さらに、第５の発明に係わるプログラムは、第１機器から第１時刻情報と関連付けられた第１情報を取得し、第２機器から第２時計手段が発生する第２時刻情報と関連付けられた第２情報を取得するステップと、前記第１情報と関連付けられた前記第１時刻情報と、前記第２情報と関連付けられた前記第２時刻情報の相対的な誤差を補正するステップと、該補正された前記第１時刻情報及び前記第２時刻情報が同時刻を表すとき前記第１情報と前記第２情報を関連付けるステップと、をコンピュータに実行させる。
さらに、第６の発明に係わるカメラは、被写体像を光電変換し、画像データを取得する撮像部と、時刻情報を発生する時計部と、前記撮像部によって前記画像データを取得した時の時刻情報と共に、前記画像データを対にして記録する記録部と、外部機器と接続した際に、前記画像データと時刻情報の対、および前記外部機器と接続時における前記時計部の時刻情報とを、前記外部機器に送信する送信部と、を具備する。
さらに、第７の発明に係わる位置情報装置は、外部よりの信号を受信し、所在位置を検出し、位置データを出力する位置検出部と、時刻情報を発生する時計部と、前記位置検出部によって前記位置データを取得した時の時刻情報と共に、前記位置データを対にして記録する記録部と、外部機器と接続した際に、前記位置データと時刻情報の対、および前記外部機器と接続時における前記時計部の時刻情報とを、前記外部機器に送信する送信部と、を具備する。
【手続補正８】
【補正対象書類名】明細書
【補正対象項目名】０００９
【補正方法】変更
【補正の内容】
【０００９】
第８の発明に係わる情報関連付けシステムは、時刻情報を発生する第１時計手段と、該第１時計手段が発生する第１時刻情報と関連付けられた第１情報を取得する第１情報取得手段とを有する第１機器と、時刻情報を発生する第２時計手段と、該第２時計手段が発生する第２時刻情報と関連付けられた第２情報を取得する第２情報取得手段とを有する第２機器と、前記第１情報と関連付けられた前記第１時刻情報と、前記第２情報と関連付けられた前記第２時刻情報の相対的な誤差を補正する時刻補正手段と、該時刻補正手段によって補正された前記第１時刻情報及び前記第２時刻情報が同時刻であるとき、前記第１情報と前記第２情報を関連付ける情報関連付け手段とを有する第３機器と、を備える。
【手続補正９】
【補正対象書類名】明細書
【補正対象項目名】００１０
【補正方法】変更
【補正の内容】
【００１０】
第９の発明に係わる情報関連付け用システムは、前記第８の発明において、基準時刻を発生する第３時計手段をさらに備え、前記時刻補正手段は、前記第１情報と関連付けられた前記第１時刻情報の誤差及び前記第２情報と関連付けられた前記第２時刻情報の誤差を前記基準時刻情報を基に補正することにより、前記第１時刻情報と前記第２時刻情報の相対的な誤差を補正する。
第１０の発明に係わる情報関連付けシステムは、前記第８の発明において、前記第１機器は前記時刻情報を表示する時刻情報表示手段をさらに備え、また前記第２機器は前記第１機器の前記時刻情報表示手段によって表示された前記時刻情報を撮影する撮像手段をさらに備え、該撮像手段によって撮像した画像を前記第２時計手段が発生する第２時刻情報と関連付けるものであり、また前記第３機器は前記第２機器の前記撮像手段によって撮像された時刻情報を含む画像を処理して前記時刻情報を認識する画像認識手段をさらに備え、前記時刻補正手段は前記画像認識手段によって認識した前記時刻情報と、前記時刻情報を含む画像に関連付けられた前記第２時刻情報との差に基づいて、前記第１情報と関連付けられた前記第１時刻情報と、前記第２情報と関連付けられた前記第２時刻情報との相対的な誤差を補正する。
【手続補正１０】
【補正対象書類名】明細書
【補正対象項目名】００１１
【補正方法】変更
【補正の内容】
【００１１】
第１１の発明に係わる情報関連付けシステムは、前記第８乃至第１０の発明において、前記第１機器の前記第１情報はＧＰＳ情報であり、前記第２機器の前記第２情報は画像情報である。
第１２の発明に係わる情報関連付けシステムは、前記第１１の発明において、前記第３機器において前記ＧＰＳ情報と関連付けられた前記画像情報を前記ＧＰＳ情報が表す地図上に合成して表示する画像表示手段をさらに備える。
【手続補正１１】
【補正対象書類名】明細書
【補正対象項目名】００１２
【補正方法】変更
【補正の内容】
【００１２】
本発明によれば、第１情報と関連付けられた第１時刻情報と、第２情報と関連付けられた第２時刻情報の相対的な誤差を補正するようにしているので、画像のような第１情報に位置情報のような第２情報が添付されていなくても、第１情報と第２情報を正しく関連付けることのできる情報関連付け方法、プログラム、カメラ、位置情報装置、および情報関連付けシステムを提供することができる。